(57)【要約】 【課題】  現在受信している放送波の電子番組ガイドだけを受信して表示することしかできない放送システムであっても、他のチャンネルの番組を実質的に把握し、他のチャンネルに切換えて番組の選択を行なうか否かの判断ができる電子番組ガイド表示システム及びその方法を提供する。【解決手段】  既に視聴された放送波の情報を不揮発性の記憶部２８に記憶し、現在受信されているチャンネルの電子番組ガイドを表示部３に表示している状態で、データ処理部２４により記憶部２８から他のチャンネルの情報を読み出して表示部３に電子番組ガイド画面３１と並存させて表示し、他のチャンネルへの切換えをするか否かの判断を行なって、入力制御部２５とリモコン装置５によりチャンネルの切換えと番組の選択を行なう。【選択図】    図１
2005167741.tif 000002
【特許請求の範囲】
【請求項１】
電子番組ガイド情報を含む放送波を受信する受信手段と、該受信手段により受信された
放送波から該電子番組ガイド情報を抽出する電子番組ガイド抽出手段と、該電子番組ガイド抽出手段により抽出された電子番組ガイドを表示する表示手段とを備え、現在受信されている放送波に対応する該電子番組ガイド情報を表示可能な電子番組ガイド表示システムにおいて、    
既に視聴された放送波の情報を前記電子番組ガイドと同一の要素でもって記憶する不揮発性記憶手段と、
前記記憶手段に記憶されている他のチャンネルの前記情報を読み出し、前記表示手段に表示された現在受信されているチャンネルの前記電子番組ガイド画面に並存させ同一の形式の他チャンネル番組画面として表示する処理手段と、
前記電子番組ガイド画面のみの表示と、該電子番組ガイド画面と前記他チャンネル番組画面とを並存させた表示とを選択的に行なう制御手段とを具備することを特徴とする電子番組ガイド表示システム。
【請求項２】
電子番組ガイド情報を含む放送波を受信する受信手段と、該受信手段により受信された
放送波から該電子番組ガイド情報を抽出する電子番組ガイド抽出手段と、該電子番組ガイド抽出手段により抽出された電子番組ガイドを表示する表示手段とを備え、現在受信されている放送波に対応する該電子番組ガイド情報を表示可能な電子番組ガイド表示システムにおいて、
既に視聴された放送波の情報を記憶する記憶手段と、
前記記憶手段に記憶されている他のチャンネルの前記情報を読み出し、前記表示手段に表示された現在受信されているチャンネルの前記電子番組ガイド画面に並存させて他チャンネル番組画面として表示する処理手段と、
前記電子番組ガイド情報のみの表示と、該電子番組ガイド画面と前記他チャンネル番組画面とを並存させた表示とを選択的に行なう制御手段とを具備することを特徴とする電子番組ガイド表示システム。
【請求項３】
前記記憶手段は不揮発性であることを特徴とする請求項３に記載の電子番組ガイド表示システム。
【請求項４】
電子番組ガイド情報を含む放送波を受信手段で受信し、該受信手段により受信された放
送波から該電子番組ガイド情報を電子番組ガイド抽出手段で抽出し、該電子番組ガイド抽出手段により抽出された電子番組ガイドを表示手段で表示して現在受信されている放送波に対応する該電子番組ガイド情報を表示可能な電子番組ガイド表示方法において、    
既に視聴された放送波の情報を前記電子番組ガイドと同一の要素でもって不揮発性の記憶状態で記憶する段階と、
前記記憶手段に記憶されている他のチャンネルの前記情報を読み出し、前記表示手段に表示された現在受信されている前記電子番組ガイド情報の画面に並存させ同一の形式の他チャンネル番組画面として表示する段階と、
前記電子番組ガイド情報のみの表示と、該電子番組ガイド画面と前記他チャンネル番組画面とを並存させた表示とを選択的に行なう段階とを備えてなることを特徴とする電子番組ガイド表示方法。
【請求項５】
電子番組ガイド情報を含む放送波を受信手段で受信し、該受信手段により受信された放
送波から該電子番組ガイド情報を電子番組ガイド抽出手段で抽出し、該電子番組ガイド抽出手段により抽出された電子番組ガイドを表示手段で表示して現在受信されている放送波に対応する該電子番組ガイド情報を表示可能な電子番組ガイド表示方法において、    
既に視聴された放送波の情報を記憶する段階と、
前記記憶手段に記憶されている他のチャンネルの前記情報を読み出し、前記表示手段に表示されている現在受信されている前記電子番組ガイド情報の画面に並存させて表示する段階と、
前記電子番組ガイド情報のみの表示と、該電子番組ガイド画面と前記他チャンネル画面とを並存させた表示とを選択的に行なう段階とを備えてなることを特徴とする電子番組ガイド表示方法。
【請求項６】
前記既に視聴された放送波の情報を記憶する段階において、記憶は不揮発状態であることを特徴と前記請求項５に記載の電子番組ガイド表示方法。
【発明の詳細な説明】
【技術分野】
【０００１】
本発明は、電子番組ガイド表示システム及びその方法に関し、特に、電子番組ガイド情
報を含む放送波を受信する受信手段と、この受信手段により受信された放送波から電子番組ガイド情報を抽出する電子番組ガイド抽出手段と、この電子番組ガイド抽出手段により抽出された電子番組ガイドを表示する表示手段とを備え、受信されている放送波に対応する電子番組ガイド情報を表示可能な電子番組ガイド表示システム及びその方法に関する。
【背景技術】
【０００２】
テレビジョン放送の放送波はデジタル化により、受信可能な放送チャンネルの数が飛躍的に増加している。デジタル放送の視聴者は、多数のチャンネルから所望の番組を見つけ出すことになる。視聴者のチャンネル選択を容易にするため、テレビジョン受像機の画面に電子番組ガイド（Electronic Program Guide）を表示する方法がとられているが、このような電子番組ガイドから直接に所望の番組を選択することは、やはり、情報量が多く素早く行なうことが困難である。
【０００３】
そこで、従来は、例えば下記の特許文献１で示すように、個々の視聴者に対応した番組一覧表を作成して表示する番組一覧表表示装置が提案されている。この従来技術は、録画再生機能を有する放送受信装置に設けられ、表示画面上に番組選択のために番組情報の一覧を表示する番組一覧表表示装置において、放送が予定されている番組に対する番組情報と、録画されている過去の番組とを番組一覧表として一画面上に表示する番組一覧表表示手段を備えたものである。番組一覧表は番組ガイド表示画面として表示され、チャンネルを主属性表示行（横軸）とし、日時を副属性表示欄（縦軸）とした行列上に個々の番組を表す番組情報セルが配置されている。番組情報セルは、番組名を表示するための番組名マークと、番組の属するジャンルを表すジャンルマークと、録画予約されている番組に対する記憶装置を表す録画予約装置マークからなる。
【０００４】
このようにして、上記特許文献1に示す従来技術は、放送が予定されている番組に対する番組情報と、録画されている過去の番組に対する番組情報を同時に表示することにより、１つの画面内で将来の放送予定と過去の録画状況を同時に参照することができる。
【０００５】
また、他の従来技術として、例えば下記の特許文献２で示すものがある。これは、多チャンネルの中から、ユーザが所望のチャンネルを効率よく正確に選択して視聴できるようにしたものである。その構成は、ＥＰＧ（電子番組ガイド）情報を含む放送波を受信する受信手段と、この受信手段により受信された放送波からＥＰＧ情報を抽出するＥＰＧ抽出手段とを備え、このＥＰＧ情報に基づく番組表の表示が可能なＥＰＧ受信システムにおいて、番組視聴を含むユーザの操作履歴を示すユーザ操作履歴情報を取得するユーザ操作履歴取得手段と、ユーザ操作履歴取得手段により取得されたユーザ操作履歴情報が少なくとも記憶される記憶手段と、ＥＰＧ抽出手段により抽出されたＥＰＧ情報及び記憶手段に記憶されているユーザ操作履歴情報に基づいてユーザの番組視聴の嗜好を判定するユーザ嗜好判定手段と、ユーザ嗜好判定手段で判定された結果をもとに、各時間帯ごとにＥＰＧ抽出手段により抽出されたＥＰＧ情報の示す核番組に対して、ユーザの嗜好を反映したおすすめ度の順位判定を行なうおすすめ判定手段と、おすすめ判定手段によるおすすめ度の判定結果に基づいて、ユーザの嗜好にあった番組群を表すおすすめ番組を、時間軸とおすすめ度を表すおすすめ度軸との二次元表現で表示する番組表表示手段と、おすすめ番組表からの番組の選択の入力操作が可能な入力手段とを備えたものである。
【０００６】
このようにして、上記特許文献２に示す従来技術は、従来の時間軸とチャンネル番号の二次元表現による番組表示ではなく、ユーザの番組視聴の嗜好に適合する番組群を表すおすすめ番組表が、時間軸とおすすめ度を表すおすすめ度との二次元表現で画面表示されるため、ユーザは、おすすめ番組表上の目的とする時間帯について、おすすめ度軸のおすすめ度の高い側を中心に見るだけで、自身の嗜好に合致して番組を一目で把握できる。
【０００７】
更に、他の従来技術として、例えば下記の特許文献３で示すものがある。これは、ユーザの好みにあった受信番組あるいは受信チャンネルの検索及び受信スケジュールを簡単に策定するためのものである。そこで、放送受信装置を介して入手した番組情報をあらかじめ定義される基準に従って記憶装置に履歴として蓄積し、記憶装置に蓄積された履歴を参照してユーザの好みを予測し、実際に受信している番組情報と比較することによって受信予想番組を決定し、ここで予想された番組もしくはチャンネルを所定の画面に反映させて表示する。この反映の方法としては、電子番組ガイドの表示画面において、番組或いはチャンネル毎にコントラスト変更及び大きさの変更などで行なう。
【特許文献１】特開２００１−３１３８７８号公報（段落〔課題〕、段落〔００１３〕、段落〔００４９〕、段落〔０１０３〕、図２）
【特許文献２】特開２０００−２５３３２５号公報（段落〔０００８〕〜〔００１０、図１０〕
【特許文献３】特開２０００−２１７０４８号公報（段落〔課題〕、段落〔請求項１〕、段落〔００１２〕）
【発明の開示】
【発明が解決しようとする課題】
【０００８】
しかしながら、例えば、地上波デジタル放送にあっては、放送事業者が多く、伝送帯域が限られていることから、各局毎に電子番組ガイドを送出している。そのため、基本的には、現在受信しているチャンネルの電子番組ガイドのみが表示されるようになっているので、他のチャンネルの電子番組ガイドを見ようとすると他のチャンネルに切換えなければならない。従って、操作が面倒である。勿論、前記特許文献１に示すような異なるチャンネルの番組一覧表は得ることができない。
【０００９】
異なるチャンネルの番組一覧表を得る技術としては、受信システムのスタンバイ状態で他チャンネルの電子番組ガイドを受信し記憶しておく方法が考えられるが、受信システムの電源投入開始直後にあっては、その取り込みが直ちになされないのでその対応ができない。
【００１０】
また、前記特許文献2に示す従来技術においては、過去の視聴履歴情報によりおすすめ
度でもって番組表を作成するので、確かに、ユーザが選択しそうな番組が表示される。しかし、ユーザは、通常の受信している放送波の電子番組ガイドを基に番組を選択する場合と、おすすめ番組を参考にする場合とでは、画面を切換えるのでその操作が面倒である。また、多くの情報が画面を異にして表示するため、かえって混乱を生じ誤操作の原因となる。
【００１１】
更に、前記特許文献3に示す従来技術においては、ユーザの好みの選択しそうなチャンネルを強調するので、ユーザのチャンネル選択の手助けにはなる。しかし、その内容を具体的に確認することができない。そのため、折角、チャンネルを選択しても、実際にその番組を見るとユーザの目的とする番組ではないということが少なくない。従って、かえって番組の選択に手間取ってしまうという問題がある。
【００１２】
このように、現在受信している放送波の電子番組ガイド情報のみだけが受信できる放送システムにおいて、現在の受信しているチャンネル以外のチャンネルの番組を参照して適切な番組の選択を行なうことが望まれていた。しかし、従来技術にあっては、このような要望を満たすものが得られないという問題点があった。
【００１３】
そこで、本発明は従来の問題点を除去した電子番組ガイドシステム及びその方法を提供することを目的とする。
【課題を解決するための手段】
【００１４】
前記課題を解決するために、本願の請求項１に係る発明は、電子番組ガイド情報を含む
放送波を受信する受信手段と、該受信手段により受信された放送波から該電子番組ガイド情報を抽出する電子番組ガイド抽出手段と、該電子番組ガイド抽出手段により抽出された電子番組ガイドを表示する表示手段とを備え、現在受信されている放送波に対応する該電子番組ガイド情報を表示可能な電子番組ガイド表示システムにおいて、既に視聴された放送波の情報を前記電子番組ガイドと同一の要素でもって記憶する不揮発性記憶手段（例えば、記憶部２８）と、前記記憶手段に記憶されている他のチャンネルの前記情報を読み出し、前記表示手段に表示された現在受信されているチャンネルの前記電子番組ガイド画面に並存させ同一の形式の他チャンネル番組画面として表示する処理手段（例えば、データ処理部２４）と、前記電子番組ガイド画面のみの表示と、該電子番組ガイド画面と前記他チャンネル画面とを並存させた表示とを選択的に行なう制御手段（例えば、入力制御部２４、リモコン装置５等からなる制御手段）とを具備することを特徴とする。
【００１５】
また、本願の請求項２に係る発明は、電子番組ガイド情報を含む放送波を受信する受信
手段と、該受信手段により受信された放送波から該電子番組ガイド情報を抽出する電子番組ガイド抽出手段と、該電子番組ガイド抽出手段により抽出された電子番組ガイドを表示する表示手段とを備え、現在受信されている放送波に対応する該電子番組ガイド情報を表示可能な電子番組ガイド表示システムにおいて、既に視聴された放送波の情報を記憶する記憶手段（例えば、記憶部２８）と、前記記憶手段に記憶されている他のチャンネルの前記情報を読み出し、前記表示手段に表示された現在受信されているチャンネルの前記電子番組ガイド画面に並存させて他チャンネル番組画面として表示する処理手段（例えば、データ処理部２４）と、前記電子番組ガイド情報のみの表示と、該電子番組ガイド画面と前記他チャンネル番組画面とを並存させた表示とを選択的に行なう制御手段と（例えば、入力制御部２５、リモコン装置５等からなる制御手段）を具備することを特徴とする。
【００１６】
また、本願の請求項３に係る発明は、前記請求項２において  前記記憶手段は不揮発性であることを特徴とする電子番組ガイド表示システムである。
【００１７】
また、本願の請求項４に係る発明は、電子番組ガイド情報を含む放送波を受信手段で受
信し、該受信手段により受信された放送波から該電子番組ガイド情報を電子番組ガイド抽出手段で抽出し、該電子番組ガイド抽出手段により抽出された電子番組ガイドを表示手段で表示して現在受信されている放送波に対応する該電子番組ガイド情報を表示可能な電子番組ガイド表示方法において、既に視聴された放送波の情報を前記電子番組ガイドと同一の要素でもって不揮発性の記憶状態で記憶する段階と、前記記憶手段に記憶されている他のチャンネルの前記情報を読み出し、前記表示手段に表示された現在受信されている前記電子番組ガイド情報の画面に並存させ同一の形式の他チャンネル番組画面として表示する段階（例えば、ステップＳ４）と、前記電子番組ガイド情報のみの表示と、該電子番組ガイド画面と前記他チャンネル番組画面とを並存させた表示とを選択的に行なう段階（例えば、ステップＳ２）とを備えてなることを特徴とする。
【００１８】
また、本願の請求項５に係る発明は、電子番組ガイド情報を含む放送波を受信手段で受
信し、該受信手段により受信された放送波から該電子番組ガイド情報を電子番組ガイド抽出手段で抽出し、該電子番組ガイド抽出手段により抽出された電子番組ガイドを表示手段で表示して現在受信されている放送波に対応する該電子番組ガイド情報を表示可能な電子番組ガイド表示方法において、既に視聴された放送波の情報を記憶する段階と、前記記憶手段に記憶されている他のチャンネルの前記情報を読み出し、前記表示手段に表示されている現在受信されている前記電子番組ガイド情報の画面に並存させて表示する段階と（例えば、ステップＳ４）、前記電子番組ガイド情報のみの表示と該電子番組ガイド画面と前記他チャンネル番組画面とを並存させた表示とを選択的に行なう段階（たとえば、ステップＳ２）とを備えてなることを特徴とする。
【００１９】
また、本願の請求項６に係る発明は、前記請求項５において  前記既に視聴された放送波の情報を記憶する段階において、記憶は不揮発状態であることを特徴とする電子番組ガイド表示方法である。
【発明の効果】
【００２０】
本発明は上述のような構成又は方法をとることにより以下のような効果を奏する。すな
わち、本願の請求項１に係る本発明の電子番組ガイド表示システムにおいては、過去に視聴した放送波の情報を電子番組ガイドと同一要素でもって記憶手段に記憶し、この情報を読み出して現在受信されている放送波の電子番組ガイド情報を表示している表示手段に並存して同一形式で表示させる。そのため、他のチャンネルの現在時点での番組情報が推測できるので、現在受信している放送波の電子番組ガイドだけを受信して表示することしかできない放送システムであっても、他のチャンネルの番組を実質的に把握し、他チャンネルに切換えて他のチャンネル電子番組ガイドを表示するか否かの判断を正確に素早く行なうことができる。そして、現在受信されているチャンネルの電子番組ガイド画面と同一形式の画面で他チャンネルの番組画面を把握するので判断が容易である。また、記憶手段が不揮発性であるため、過去に視聴された放送波の情報は、受信システムの電源がオフにされた後でも直ちに読み出して表示することができる等の効果を有する。
【００２１】
また、請求項２に係る発明の電子番組ガイド表示システムにおいては、過去に視聴した放送波の情報を記憶手段に記憶し、この情報を読み出して現在受信されている放送波の電子番組ガイド情報を表示している表示手段に並存して表示させる。そのため、他のチャンネルの現在の番組情報を推測できるので、現在受信している放送波の電子番組ガイドだけを受信して表示することしかできない放送システムであっても、他のチャンネルの番組を実質的に把握し、他チャンネルに切換えて他のチャンネル電子番組ガイドを表示するか否かの判断を正確に素早く行なうことができる効果を有する。
【００２２】
また、請求項３に係る発明の電子番組ガイド表示システムにおいては、請求項２において、記憶手段が不揮発性であるため、過去に視聴された放送波の情報は受信システムの電源がオフにされた後でも直ちに読み出して表示することができる効果を有する。
【００２３】
また、請求項４に係る発明の電子番組ガイド表示方法においては、過去に視聴した放送波の情報を電子番組ガイドと同一要素でもって記憶手段に記憶し、この情報を読み出して現在受信されている放送波の電子番組ガイド情報を表示している表示手段に並存して同一形式で表示させる段階をとる。そのため、他のチャンネルの現在時点での番組情報が推測できるので、現在受信している放送波の電子番組ガイドだけを受信して表示することしかできない放送システムであっても、他のチャンネルの番組を実質的に把握し、他チャンネルに切換えて他のチャンネル電子番組ガイドを表示するか否かの判断を正確に素早く行なうことができる。そして、現在受信されているチャンネルの電子番組ガイド画面と同一形式の画面で他チャンネルの番組画面を把握するので判断が容易である等の効果を有する。
【００２４】
また、請求項５に係る発明のシステムにおいては、過去に視聴した放送波の情報を記憶手段に記憶し、この情報を読み出して現在受信されている放送波の電子番組ガイド情報を表示している表示手段に並存して表示させる段階をとる。そのため、他のチャンネルの現在の番組情報を推測できるので、現在受信している放送波の電子番組ガイドだけを受信して表示することしかできない放送システムであっても、他のチャンネルの番組を実質的に把握し、他チャンネルに切換えて他のチャンネル電子番組ガイドを表示するか否かの判断を正確に素早く行なうことができる効果を有する。
【００２５】
また、請求項６に係る発明の電子番組ガイド表示方法においては、請求項５において、既に視聴された放送波の情報は不揮発状態で記憶されるため、受信システムの電源がオフにされた後でも過去に視聴された放送波の情報を直ちに読み出して表示することができる等の効果を有する。
【発明を実施するための最良の形態】
【００２６】
本発明を実施するための最良の形態としては、以下に説明する実施例である。
【実施例】
【００２７】
本発明の実施例を図１で示す電子番組ガイド表示システムのブロック図、図２で示す表示部の表示状態を示す説明図、図３で示す本発明の実施例におけるフローチャートによって説明する。
【００２８】
電子番組ガイド表示システムは、図１で示すように、アンテナ１と受信装置２と表示部３と音声信号出力部４とから構成されており、アンテナ１を介して受信された放送波は受信装置２で映像データ、音声データ及び電子番組ガイドデータとに分離されようになっている。映像データと電子番組ガイドデータは液晶表示パネル、プラズマディスプレイなどからなる表示部３において表示される。音声データはスピーカを有する音声信号出力部４において音声信号として出力される。
【００２９】
受信装置２の具体的な構成は、アンテナ１を介して放送波を受信する受信部２１と、受信部２１の出力側に接続された出力制御部２２とによって放送波を映像データと音声データとに分離している。また、受信部２１の出力側には電子番組ガイドデコード部２３が接続され、電子番組ガイドデコード部２３の出力側には処理手段を形成するデータ処理部２４が接続され、データ処理部２４の出力側は出力制御部２２の入力側に接続されている。そして、受信された電子番組ガイド情報をデコードし、データ処理部２２と出力制御部２２を介して表示部３に供給されるようになっている。更に、受信部２には、入力制御部２５が設けられ、外部のリモコン装置５によって操作信号が入力される制御手段が形成されている。これら受信部２１、データ処理部２２、電子番組ガイドデコード部２３及び入力制御部２５はバス２６によって互いに接続されている。また、バス２６には、インターフェース２７を介してビデオテープレコーダ、磁気ディスク記憶装置,光ディスク記憶装置等の外部装置６が接続されている。更に、バス２６には、放送波から選択されたチャンネルの情報を記憶するための不揮発性の記憶手段を形成する記億部２８が接続されている。
【００３０】
受信装置２は、リモコン装置５からの操作信号によって入力制御部２５が所望のチャンネルを選択し、その映像データ、音声データを表示部３と音声信号出力部４に供給して視聴できるようになっている。また、必要によって外部装置６での録画を行なった後に視聴が可能になっている。更に、これらの聴取されたチャンネル、日時、番組のカテゴリー、タイトル等のデータが記憶部２８に記憶されるようになっている。この記憶にあたり、過去の同一チャンネル、同一時刻における視聴された番組のデータが記憶されていればこれに上書きすることになる。
【００３１】
また、受信装置３は、リモコン装置５からの操作信号によって入力制御部２５が電子番組ガイドデコード部２３を制御し、この制御でもって放送波から電子番組ガイドデータをデコードし、表示部３に供給して表示されるようになっている。そして、リモコン装置５により表示された電子番組ガイド画面から所望の番組を選択して受信がなされる。
【００３２】
更に、受信装置３は、リモコン装置５の操作信号によって記憶部２８に記憶されているデータを読み出し、表示部３に表示するようになっている。この表示されるデータは、現在表示されている電子番組ガイドデータと同一時刻における他のチャンネルにおける番組である。この表示は、図2で示すように、現在表示されている電子番組ガイド画面３１と並存させて他のチャンネルの番組を表示した他チャンネル番組画面３２として表示される。この他チャンネル番組画面３２は、記憶部２８に記憶されている他のチャンネルで過去に聴取された時刻の番組タイトル等のデータが読み出されてデータ処理部２４で同一形式の番組表に形成されて表示されるものである。この過去のデータは、その後の番組変更によって変更されている可能性があるとしても、現在も継続して放送されている可能性は大きい。
【００３３】
電子番組ガイド画面３１は、現在受信しているチャンネルについて縦軸を時間として番組タイトルが表示されている。一方、他チャンネル番組画面３２は、他チャンネルについて電子番組ガイド画面３１と同一時刻における記憶部2８から読み出されたデータに基づく番組タイトルが表示されている。
【００３４】
次に、上述した本発明の実施例の構成による動作を図２の説明図、図３のフローチャートによって説明する。
【００３５】
視聴者は、視聴したい所望の番組を電子番組ガイド画面で確認した上で選局を行なうと決めた場合には、ステップＳ１で示すように、リモコン装置5を操作して入力制御部２５に操作信号を入力し、電子番組ガイドデコード部２３よりデコードされた所望のチャンネルのデータを得て表示部３に表示する。これに対し、電子番組ガイド情報を一切利用しないで受信する場合は、通常のとおりに所望のチャンネルの所望の番組を選定すればよい。
【００３６】
表示部３で表示された電子番組ガイド表示画面では、視聴したい番組が決まらないので他のチャンネルの内容を確認したい場合は、ステップＳ２において、他のチャンネルの内容確認を行なうことを決める。この他のチャンネルの内容確認は、リモコン装置５を操作して入力制御部２５に操作信号を入力し、記憶部２８に記憶されている他のチャンネルで過去に視聴された時刻の番組タイトル等のデータを読み出し表示部3に表示する。この表示状態は、ステップＳ３において、図２で示すように現在受信している放送波の電子番組ガイド表示画面３１と並存して他チャンネル番組画面３２として表示される。
【００３７】
次のステップＳ４において、視聴者は、他チャンネル表示画面３２を見ると視聴したい番組の情報が表示されているので、他チャンネルの電子番組ガイドの内容を確認した上で視聴すべき番組を決定する必要性が生じる。このように他のチャンネルの電子番組ガイドを直接確認したいと判断した場合は、ステップＳ５において、リモコン装置５を操作して他チャンネルの電子番組ガイドデータを受信し、現在の他チャンネルの電子番組ガイドを表示部３で表示する。そして表示内容を確認の上、所望の番組があるか否かを判別して番組の視聴を決める。この多チャンネルの電子番組ガイド画面から視聴する番組が決まれば、次のステップＳ６において、リモコン装置5を操作して入力制御部２５にその番組を受信する操作信号を入力し受信を実行する。
【００３８】
、
ステップＳ６において受信され視聴された放送波の番組情報は記憶部２８に記憶される。この記憶に当たり、事前に記憶されたデータがある場合には、この事前のデータに上書きして記憶される。
【００３９】
ステップS２において、他チャンネルの電子番組ガイドデータを表示して確認しない場合は、ステップＳ７で示すように現在受信されている電子番組ガイド画面３１から番組を選択して決定し、ステップＳ６で示す受信を実行する。
【００４０】
ステップS４において、並存する他チャンネル番組画面３２を確認したが適当なものがなく、やはり電子番組ガイド画面３１から選ぶと判断した場合は、ステップＳ７で示すように電子番組ガイド画面３１の方から番組を選択して決定し、ステップＳ６における受信を実行する。
【００４１】
ステップＳ５において、他チャンネルの電子番組ガイドデータを表示部3に表示して正確な内容を確認したが視聴するに至る番組がない場合は、ステップＳ２に戻り更に異なるチャンネルの番組内容を確認する。
【００４２】
上述した実施例の電子番組ガイド表示システムによれば、過去に視聴した放送波の情報を記憶部２８に記憶し、この情報を読み出して現在受信されている放送波の電子番組ガイド情報を表示している表示部３に並存して同一形式で表示させる。すなわち、現在受信されている放送波の電子番組ガイド画面３１と他チャンネル番組画面３２とを見比べて、他のチャンネルの現在時点での番組情報が推測できる。そのため、現在受信している放送波の電子番組ガイドだけを受信して表示することができない放送システムであっても、他のチャンネルの番組を実質的に把握した上で、他チャンネルに切換えて正確な他のチャンネル電子番組ガイドを表示することになる。
【００４３】
また、過去に視聴された放送波の情報は、電子番組ガイドと同一の要素のデータとして記憶部２８に記憶されるため、他チャンネル番組画面３２が電子番組ガイド画面３１と同一形式で並存して表示することができる。そのため、両画面を見比べて他チャンネルの番組画面を把握するので判断が容易である。
【００４４】
また、記憶部２８は不揮発性であるため、受信システムの電源をオフにした後に電源をオンにして受信を開始しても、過去に視聴された放送波の情報は消去されることなく保持されているため、他チャンネル番組画面３２を直ちに読み出して表示することができる。そして、新たに視聴した番組の情報は記憶部２８に上書きされて記憶されるので、常時直近のデータが保存される。
【００４５】
尚、上述した本発明の実施例にあっては、他チャンネル番組画面３２の形式は電子番組ガイド画面３１と同一としたが、これに限定されることなく他のチャンネルの番組内容を実質的に推定し把握できる形式であればよい。
【００４６】
尚また、上述した本発明の実施例における記憶部２８としては、ＩＣメモリ、磁気ディスク記憶装置、光ディスク記憶装置等の不揮発性のものが適用される。そして、受信システムが常にスタンバイ状態で使用されることが多い場合は、記憶装置２８は不揮発性であってもよい。
【図面の簡単な説明】
【００４７】
【図１】図１は、本発明の実施例における電子番組ガイド表示システムを示すブロック図である。
【図２】図２は、図１における表示部の表示状態を示す説明図である。
【図３】図３は、本発明の実施例における電子番組ガイド表示システムの動作を示すフローチャートである。
【符号の説明】
【００４８】
１        アンテナ
２        受信装置
３        表示部
４        音声信号出力部
５        リモコン装置
６        外部装置
２１      受信部      
２２      出力制御部
２３      電子番組ガイドデコード部
２４      データ処理部
２５      入力制御部
２６      バス
２７      インターフェース
２８      記憶部
３１      電子番組ガイド画面
３２      他チャンネル番組画面      
【図１】
2005167741.tif 000003
【図２】
2005167741.tif 000004
【図３】
2005167741.tif 000005